【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
プロセス制御プラントのプロセス制御システムで用いる動的リンク型グラフィカル・メッセージング・システムであって、
プロセッサ、メモリおよびディスプレイを有し、前記プロセス制御システムと通信するコンピューティング機器と、
前記コンピューティング機器の前記メモリに記憶され、
ハイパーリンクとフィールドを含む電子付箋画像とを含む動的リンク型グラフィカル・メッセージを作成し、
前記電子付箋画像の前記フィールドの内容を前記プロセス制御システムが利用できる集中型データベースのエントリに記憶し、
前記電子付箋画像の前記フィールドの前記内容を前記プロセス制御システムの中に構成されたプロセス制御オブジェクトと関連付け、
前記ディスプレイ上の前記プロセス制御オブジェクトの表現を含む表示ビューのランタイム中に、前記フィールドの前記内容と前記プロセス制御オブジェクトとの間に前記ハイパーリンクを確立し、
前記表示ビュー上の前記プロセス制御オブジェクトの前記表現と共に、前記フィールドの前記内容を含む前記電子付箋画像を提示するため、
前記プロセッサによって実行可能である動的リンク型グラフィカル・メッセージ・プロバイダのためのコンピュータ実行可能な命令と、
を備える動的リンク型グラフィカル・メッセージング・システム。
【請求項２】
前記集中型データベースの前記エントリが、前記集中型データベースの前記エントリが前記動的リンク型グラフィカル・メッセージに対応するという標識を備える、請求項１に記載の動的リンク型グラフィカル・メッセージング・システム。
【請求項３】
前記コンピューティング機器が第１のコンピューティング機器であり、前記表示ビューが第１の表示ビューであり、前記ディスプレイが第１のディスプレイであり、前記コンピュータ実行可能な命令が第１のコンピュータ実行可能な命令であり、
前記プロセス制御システムと通信する第２のコンピューティング機器をさらに備え、
前記第２のコンピューティング機器が、
前記第２のコンピューティング機器の第２のディスプレイ上の第２の表示ビューのランタイム中に、前記フィールドの前記内容と前記プロセス制御オブジェクトとの間に前記ハイパーリンクを確立し、
前記第２の表示ビュー上の前記プロセス制御オブジェクトの前記表現と共に、前記フィールドの前記内容を含む前記電子付箋画像を提示するため、
前記第２のコンピューティング機器のメモリに記憶され、前記第２のコンピューティング機器のプロセッサによって実行可能である第２のコンピュータ実行可能な命令を含む、
請求項１〜請求項２の何れか１項に記載の動的リンク型グラフィカル・メッセージング・システム。
【請求項４】
前記プロセス制御オブジェクトがプロセス制御クラス・オブジェクトであり、
前記動的リンク型グラフィカル・メッセージが前記プロセス制御クラス・オブジェクトのサブクラス・オブジェクトに対応する付加的なハイパーリンク組をさらに含み、
前記動的リンク型グラフィカル・メッセージ・プロバイダのための前記コンピュータ実行可能な命令が、
前記電子付箋画像の前記フィールドの前記内容をサブクラス・オブジェクトと関連付け、
前記サブクラス・オブジェクトの表現を含む特有の表示ビューのランタイム中に、前記フィールドの前記内容と前記サブクラス・オブジェクトとの間に付加的なハイパーリンクを確立し、
前記サブクラス・オブジェクトの前記表現と共に、前記フィールドの前記内容を含む前記電子付箋画像を提示するためさらに実行可能である、
請求項１〜請求項３の何れか１項に記載の動的リンク型グラフィカル・メッセージング・システム。
【請求項５】
前記電子付箋画像の前記フィールドの前記内容が２つ以上の集中型データベースに亘って記憶される、請求項１〜請求項４の何れか１項に記載の動的リンク型グラフィカル・メッセージング・システム。
【請求項６】
前記集中型データベースから論理的に独立している動的リンク型グラフィカル・メッセージ・データベースと、
前記動的リンク型グラフィカル・メッセージに対応する前記動的リンク型グラフィカル・メッセージ・データベースの中のエントリと、
前記動的リンク型グラフィカル・メッセージ・データベースへのユーザ・インターフェイスと、
をさらに備え、
前記コンピュータ実行可能な命令が、前記動的リンク型グラフィカル・メッセージに対応する前記動的リンク型グラフィカル・メッセージ・データベースの中の前記エントリに基づいて前記ハイパーリンクを確立するためさらに実行可能である、
請求項１〜請求項５の何れか１項に記載の動的リンク型グラフィカル・メッセージング・システム。
【請求項７】
前記動的リンク型グラフィック・メッセージに対応する前記動的リンク型グラフィカル・メッセージ・データベースの中の前記エントリが、前記動的リンク型グラフィカル・メッセージの標識、作成時間、満了期間、前記プロセス制御オブジェクトの標識、前記集中型データベースの標識、作者の標識、前記動的リンク型グラフィカル・メッセージのカテゴリもしくはタイプ、ユーザもしくはユーザのグループの権限レベルに対応する可視性の標識、または、付加情報フィールドのうちの少なくとも１つを含む、請求項６に記載の動的リンク型グラフィカル・メッセージング・システム。
【請求項８】
前記満了期間が満了した後、または、前記動的リンク型グラフィカル・メッセージの削除後、前記電子付箋画像が前記表示ビューから除去され、前記ハイパーリンクが無効にされ、前記動的リンク型グラフィカル・メッセージ・データベースの中の前記エントリが削除され、前記内容が前記集中型データベースの中に維持される、請求項７に記載の動的リンク型グラフィカル・メッセージング・システム。
【請求項９】
前記表示ビューが少なくとも１個の動的リンク型グラフィカル・メッセージが定義済みであるが不可視であることを示す動的リンク型グラフィカル・メッセージ可視性インジケータを含む、請求項１〜請求項８の何れか１項に記載の動的リンク型グラフィカル・メッセージング・システム。
【請求項１０】
前記動的リンク型グラフィカル・メッセージ・プロバイダのための前記コンピュータ実行可能な命令が、作成、修正、リンク、検索、許可設定、または、削除のうちの少なくとも１つを含む動的リンク型グラフィカル・メッセージ管理操作の組を提供するため前記プロセッサによってさらに実行可能である、請求項１〜請求項９の何れか１項に記載の動的リンク型グラフィカル・メッセージング・システム。
【請求項１１】
前記動的リンク型グラフィカル・メッセージ管理操作の前記組が、前記集中型データベースのためのユーザ・インターフェイス、前記プロセス制御オブジェクトのためのユーザ
・インターフェイス、または、前記表示ビューのためのユーザ・インターフェイスのうちの少なくとも１つを介してアクセス可能である、請求項１０に記載の動的リンク型グラフィカル・メッセージング・システム。
【請求項１２】
前記動的リンク型グラフィカル・メッセージ管理操作である修正が、選択された動的リンク型グラフィカル・メッセージの内容を修正すること、または、前記選択された動的リンク型グラフィカル・メッセージに対応する特有の電子付箋画像の外観を修正することのうちの少なくとも１つを備え、
前記電子付箋画像の前記外観を修正することが、形状、色、サイズ、動的視覚的特徴、場所、または、フォントのうちの少なくとも１つを修正することを備える、請求項１１に記載の動的リンク型グラフィカル・メッセージング・システム。
【請求項１３】
前記電子付箋画像が、
サイズ変更可能、
前記ディスプレイ上の異なる場所へ移動可能、
前記ディスプレイの前景への移動または前記ディスプレイの背景への送り出し可能、
非表示または再表示可能、または、
前記ディスプレイのサイズに比例した拡大縮小可能、
のうちの少なくとも１つである、請求項１〜請求項１２の何れか１項に記載の動的リンク型グラフィカル・メッセージング・システム。
【請求項１４】
前記動的リンク型グラフィカル・メッセージ・プロバイダが前記表示ビューに提示された前記電子付箋画像に対応するユーザ開始アクションに応答してウィンドウをさらに表示し、
前記ウィンドウが、前記フィールドの前記内容と、前記集中型データベースの前記エントリの少なくとも１つの付加的なデータベースフィールドとを含み、
前記少なくとも１つの付加的なデータベース・フィールドが、作者フィールド、作成日フィールド、タイトルフィールド、メッセージ詳細フィールド、または、満了フィールドのうちの少なくとも１つを含み、
前記ユーザ開始アクションが、ユーザ開始マウス・アクション、ユーザ開始カーソル・アクション、音声コマンド、または、ユーザ開始タッチスクリーン・アクションのうちの少なくとも１つを備える、
請求項１〜請求項１３の何れか１項に記載の動的リンク型グラフィカル・メッセージング・システム。
【請求項１５】
前記電子付箋画像が、色、形状、フォント、サイズ、または、動的属性のうちの少なくとも１つである視覚的特徴を有し、
前記視覚的特徴が、動的リンク型グラフィカル・メッセージ・タイプ、ユーザ識別情報、前記プロセス制御プラントの中での物理的場所、プロセス制御オブジェクト・クラス、または、前記動的リンク型グラフィカル・メッセージの優先度のうちの少なくとも１つに対応する、
請求項１〜請求項１４の何れか１項に記載の動的リンク型グラフィカル・メッセージング・システム。
【請求項１６】
前記動的リンク型グラフィカル・メッセージ・プロバイダのための前記コンピュータ実行可能な命令が、前記ディスプレイ上の利用可能な動的リンク型グラフィカル・メッセージの可視性をユーザに関連付けられた権限レベル、前記プロセス制御プラントの物理的領域、または、ユーザ指定基準のうちの少なくとも１つに基づいてフィルタ処理するためさらに実行可能である、請求項１〜請求項１５の何れか１項に記載の動的リンク型グラフィカル・メッセージング・システム。
【請求項１７】
プロセス制御プラントのプロセス制御システムで用いる動的リンク型グラフィカル・メ
ッセージであって、
前記プロセス制御システムの中で構成された前記プロセス制御システムのプロセス制御オブジェクトの表現と共に、前記プロセス制御システムと通信するコンピューティング機器のディスプレイ上の表示ビューに提示された、フィールドを含む電子付箋画像と、
前記表示ビューのランタイムに確立され、前記プロセス制御システムの少なくとも１つの集中型データベースの中のエントリに記憶されている前記電子付箋画像の前記フィールドの内容を前記プロセス制御オブジェクトにリンクするハイパーリンクと、
前記少なくとも１つの集中型データベースと論理的に独立している動的リンク型グラフィカル・メッセージ・データベースの中で、前記動的リンク型グラフィカル・メッセージの標識、前記プロセス制御オブジェクトの標識、および前記少なくとも１つの集中型データベースの標識を含み、前記プロセス制御オブジェクトのコンフィギュレーションおよび前記表示ビューのコンフィギュレーションを除外するエントリと、
を備える動的リンク型グラフィカル・メッセージ。
【請求項１８】
前記動的リンク型グラフィカル・メッセージ・データベースの中の前記エントリが、タイトルフィールドと、作者フィールドと、メッセージ詳細フィールドと、作成日フィールドと、満了フィールドと、前記プロセス制御システムにおいて構成された第２のプロセス制御オブジェクトへの第２のハイパーリンクとから選択された少なくとも１つの付加的なデータベース・フィールドをさらに含み、
前記少なくとも１つの付加的なデータベース・フィールドが、前記動的リンク型グラフィカル・メッセージに対応するユーザ開始アクションに応答して前記表示ビューに現れるウィンドウの中に表示され、
前記ユーザ開始アクションが、ユーザ開始マウス・アクションと、ユーザ開始カーソル・アクションと、ユーザ開始音声アクティブ化と、ユーザ開始タッチスクリーン・アクションとのうちの１つを備える、
請求項１７に記載の動的リンク型グラフィカル・メッセージ。
【請求項１９】
前記動的リンク型グラフィカル・メッセージが前記プロセス制御オブジェクトの前記表現と共に２つ以上の表示ビューの１つずつに現れ、前記２つ以上の表示ビューの１つずつが前記プロセス制御システムと通信する異なるコンピューティング機器に提示される、請求項１７又は請求項１８に記載の動的リンク型グラフィカル・メッセージ。
【請求項２０】
前記プロセス制御オブジェクトがクラス・オブジェクトであり、
前記動的リンク型グラフィカル・メッセージが、各付加的なハイパーリンクが前記フィールドの前記内容を前記クラス・オブジェクトの異なるサブクラス・オブジェクトにリンクする付加的なハイパーリンクの組をさらに含み、
各付加的なハイパーリンクが前記異なるサブクラス・オブジェクトの表現を含む特有の表示ビューのランタイム時に確立される、
請求項１７〜請求項１９に記載の動的リンク型グラフィカル・メッセージ。
【請求項２１】
前記動的リンク型グラフィカル・メッセージが、ユーザにより作成済み、閲覧済み、修正済み、または、削除済みのうちの少なくとも１つである、請求項１７〜請求項２０の何れか１項に記載の動的リンク型グラフィカル・メッセージ。
【請求項２２】
前記電子付箋画像が、色、形状、フォント、または、動的属性のうちの少なくとも１つである視覚的特徴を有し、
前記視覚的特徴が、動的リンク型グラフィカル・メッセージのタイプ、ユーザの権限レベル、前記プロセス制御プラントの中での物理的場所、前記動的リンク型グラフィカル・メッセージの優先度、または、ユーザ指定基準のうちの少なくとも１つに対応する、
請求項１７〜請求項２１の何れか１項に記載の動的リンク型グラフィカル・メッセージ。
【請求項２３】
プロセス制御プラントのプロセス制御システムにおいて動的リンク型グラフィカル・メッセージを提供する方法であって、
ハイパーリンクとフィールドを含む電子付箋画像とを含む動的リンク型グラフィカル・メッセージを作成するステップと、
前記電子付箋画像の前記フィールドの内容を前記プロセス制御システムが利用できる集中型データベースのエントリに記憶するステップと、
前記フィールドの前記内容を前記プロセス制御システムの中に構成されたプロセス制御オブジェクトと関連付けるステップと、
コンピューティング機器のディスプレイ上の前記プロセス制御オブジェクトの表現を含む表示ビューのランタイム中に、前記フィールドの前記内容と前記プロセス制御オブジェクトとの間に前記ハイパーリンクを確立するステップと、
前記プロセス制御オブジェクトの前記表現と共に、前記フィールドの前記内容を含む前記電子付箋画像を前記表示ビューに提示するステップと、
を備える方法。
【請求項２４】
前記表示ビューが第１の表示ビューであり、前記ディスプレイが第１のディスプレイであり、前記コンピューティング機器が第１のコンピューティング機器であり、
前記プロセス制御システムと通信する第２のコンピューティング機器の第２のディスプレイ上での前記プロセス制御オブジェクトの前記表現を含む第２の表示ビューのランタイム中に、前記フィールドの前記内容と前記プロセス制御オブジェクトとの間に前記ハイパ
ーリンクを確立するステップと、
前記プロセス制御オブジェクトの前記表現と共に、前記フィールドの前記内容を含む前記電子付箋画像を前記第２の表示ビューに提示するステップと、
をさらに備える、請求項２３に記載の方法。
【請求項２５】
前記フィールドの前記内容を前記プロセス制御オブジェクトと関連付けるステップが、前記フィールドの前記内容をプロセス制御クラス・オブジェクトと関連付けるステップを備え、
前記電子付箋画像の前記フィールドの前記内容を前記プロセス制御クラス・オブジェクトのサブクラス・オブジェクトと関連付けるステップと、
前記サブクラス・オブジェクトの表現を含む特有の表示ビューのランタイム中に、前記フィールドの前記内容と前記サブクラス・オブジェクトとの間に付加的なハイパーリンクを確立するステップと、
前記サブクラス・オブジェクトの前記表現と共に、前記フィールドの前記内容を含む前記電子付箋画像を前記特有の表示ビューに提示するステップと、
をさらに備える、請求項２３又は請求項２４に記載の方法。
【請求項２６】
前記動的リンク型グラフィカル・メッセージに対応するエントリを含み、前記プロセス制御オブジェクトのコンフィギュレーションおよび前記表示ビューのコンフィギュレーションを除外する動的リンク型グラフィカル・メッセージ・データベースを提供するステップと、
データベース管理機能の組および検索能力を含む前記動的リンク型グラフィカル・メッセージ・データベースへのユーザ・インターフェイスを提供するステップと、
をさらに備える、請求項２３〜請求項２５の何れか１項に記載の方法。